(57)【要約】【課題】  どのような光記録媒体を使用した場合でも、記録再生装置のチャッキング部の汚損を防止すること。【解決手段】  印刷面を有する光記録媒体１２０に対して画像を印刷する印刷装置において、印刷しようとする画像が、光記録媒体１２０に情報を記録または再生する記録再生装置のチャッキング部によって挟持するためのチャッキング領域の少なくとも一部にまで及んでいるか否かを判定する判定手段（コンピュータ９０）と、判定手段によって印刷しようとする画像が、チャッキング領域の少なくとも一部にまで及んでいると判定された場合には、光記録媒体に対する印刷方法を変更する印刷方法変更手段（コンピュータ９０）と、を有する。【選択図】        図１
2005059312.tif 000002
【特許請求の範囲】
【請求項１】
印刷面を有する光記録媒体に対して画像を印刷する印刷装置において、
印刷しようとする画像が、上記光記録媒体に情報を記録または再生する記録再生装置のチャッキング部によって挟持するためのチャッキング領域の少なくとも一部にまで及んでいるか否かを判定する判定手段と、
上記判定手段によって、印刷しようとする画像が、上記チャッキング領域の少なくとも一部にまで及んでいると判定された場合には、上記光記録媒体に対する印刷方法を変更する印刷方法変更手段と、
を有することを特徴とする印刷装置。
【請求項２】
前記印刷方法変更手段は、単位面積あたりに打ち込まれるインク量であるインクのデューティーを変更することを特徴とする請求項１記載の印刷装置。
【請求項３】
前記印刷方法変更手段は、少なくとも前記チャッキング領域に対するインクのデューティーを下げることを特徴とする請求項２記載の印刷装置。
【請求項４】
前記印刷方法変更手段は、前記印刷面全体に対するインクのデューティーを下げることを特徴とする請求項２記載の印刷装置。
【請求項５】
前記印刷方法変更手段は、印刷速度を低下させることを特徴とする請求項１記載の印刷装置。
【請求項６】
前記光記録媒体は、名刺型の光記録媒体であることを特徴とする請求項２記載の印刷装置。
【請求項７】
前記印刷方法変更手段は、前記画像が前記チャッキング領域の少なくとも一部にまで及んでいると前記判定手段によって判定された場合には、使用するインクの種類に応じて印刷方法を変更することを特徴とする請求項２記載の印刷装置。
【請求項８】
前記印刷方法変更手段は、前記画像が前記チャッキング領域の少なくとも一部にまで及んでいると前記判定手段によって判定された場合であって、前記画像の解像度が所定の解像度以上である場合には、印刷方法を変更することを特徴とする請求項２記載の印刷装置。
【請求項９】
印刷装置に実際に装着された前記光記録媒体の印刷面を検出する検出手段をさらに有し、
前記検出手段の検出結果に応じて画像を印刷することを特徴とする請求項１記載の印刷装置。
【請求項１０】
印刷装置に実際に装着された前記光記録媒体の前記チャッキング領域に印刷面が形成されているか否かを検知する検出手段と、
上記検出手段によって、前記チャッキング領域に印刷面が形成されていない光記録媒体が装着されたことを検知した場合であって、前記チャッキング領域にも画像の少なくとも一部が及んでいる場合には警告を通知する警告手段と、
をさらに有することを特徴とする請求項１記載の印刷装置。
【請求項１１】
印刷面を有する光記録媒体に対して画像を印刷する印刷方法において、
印刷しようとする画像が、上記光記録媒体に情報を記録または再生する記録再生装置のチャッキング部によって挟持するためのチャッキング領域の少なくとも一部にまで及んでいるか否かを判定する判定ステップと、
上記判定ステップによって、印刷しようとする画像が、上記チャッキング領域の少なくとも一部にまで及んでいると判定された場合には、上記光記録媒体に対する印刷方法を変更する印刷方法変更ステップと、
を有することを特徴とする印刷方法。
【請求項１２】
印刷面を有する光記録媒体に対して画像を印刷する処理をコンピュータに機能させるコンピュータ読み取り可能な印刷用プログラムにおいて、
コンピュータを、
印刷しようとする画像が、上記光記録媒体に情報を記録または再生する記録再生装置のチャッキング部によって挟持するためのチャッキング領域の少なくとも一部にまで及んでいるか否かを判定する判定手段、
上記判定手段によって、印刷しようとする画像が、上記チャッキング領域の少なくとも一部にまで及んでいると判定された場合には、上記光記録媒体に対する印刷方法を変更する印刷方法変更手段、
として機能させることを特徴とするコンピュータ読み取り可能な印刷用プログラム。
【発明の詳細な説明】
【技術分野】
【０００１】
本発明は、印刷装置、印刷方法、および印刷用プログラムに関する。
【背景技術】
【０００２】
例えば、ＣＤ−Ｒ（Compact Disk-Recordable）またはＤＶＤ（Digital Versatile Disk）の光記録媒体においては、情報記録面と反対側の面に白色等の部材を塗布し、インクジェットプリンタ等の印刷装置によって任意の図形や文字を印刷可能なものがある（特許文献１参照）。
【０００３】
【特許文献１】特開平０８−１５３３４１号公報（要約）
【発明の開示】
【発明が解決しようとする課題】
【０００４】
ところで、このような光記録媒体に対して情報を記録し、または、記録された情報を再生する記録再生装置では、光記録媒体の中央部に設けられた中心孔にチャッキング部を嵌入し、これを光記録媒体の上下から把持することにより光記録媒体を固定保持するように構成されている。
【０００５】
近年、一部の光記録媒体では、チャッキング部によって把持される領域（以下、「チャッキング領域」と称する）まで印刷可能な面（以下、「印刷可能面」という。）が形成され、当該部分にも画像等の印刷が可能とされているものがある。
【０００６】
このような光記録媒体では、チャッキング領域が印刷可能となっていないものに比較して、より広い領域に画像を印刷可能となるというメリットがある。しかし、チャッキング領域まで印刷がされた場合、インクが十分に乾燥する前に記録再生装置に装着されると、チャッキング領域に施されたインクがチャッキング部に接着してしまい、印刷面が汚れたり、毀損したりしてしまうという問題点がある。
【０００７】
また、チャッキング部に光記録媒体の印刷面のインクが接着してしまうと、その汚れによって、光記録媒体とチャッキング部との接触が十分でなくなり、光記録媒体の把持がうまくなされなくなってしまうという問題点もある。
【０００８】
本発明は、上記の事情に基づきなされたもので、その目的とするところは、どのような光記録媒体を使用した場合でも、記録再生装置のチャッキング部をインクによって汚損することがない印刷装置、印刷方法、および印刷用プログラムを提供することである。
【課題を解決するための手段】
【０００９】
上述の目的を達成するため、本発明は、印刷面を有する光記録媒体に対して画像を印刷する印刷装置において、印刷しようとする画像が、光記録媒体に情報を記録または再生する記録再生装置のチャッキング部によって挟持するためのチャッキング領域の少なくとも一部にまで及んでいるか否かを判定する判定手段と、判定手段によって、印刷しようとする画像が、チャッキング領域の少なくとも一部にまで及んでいると判定された場合には、光記録媒体に対する印刷方法を変更する印刷方法変更手段と、を有している。
【００１０】
このため、どのような光記録媒体を使用した場合でも、記録再生装置のチャッキング部がインクによって汚損することを防止できる。
【００１１】
また、他の発明は、上述の発明に加えて、印刷方法変更手段は、単位面積あたりに打ち込まれるインク量であるインクのデューティーを変更するようにしている。このため、光記録媒体の印刷面が受容可能なインクのデューティーにより画像を印刷することにより、光記録媒体のチャッキング部への貼り付きを防止することができる。
【００１２】
また、他の発明は、上述の発明に加えて、印刷方法変更手段は、少なくともチャッキング領域に対するインクのデューティーを下げるようにしている。このため、チャッキング部に光記録媒体が貼り付くことを確実に防止することができる。
【００１３】
また、他の発明は、上述の発明に加えて、印刷方法変更手段は、印刷面全体に対するインクのデューティーを下げるようにしている。このため、チャッキング領域のみのデューティーを下げた場合に比較して、境界線が発生する等の印刷画像の画質低下を防止することができる。
【００１４】
また、他の発明は、上述の発明に加えて、印刷方法変更手段は、印刷速度を低下させるようにしている。このため、印刷面にインクが確実に受容された後に、光記録媒体が排出されるようになるので、記録媒体のチャッキング部への貼り付きを防止することができる。
【００１５】
また、他の発明は、上述の発明に加えて、光記録媒体は、名刺型の光記録媒体としている。このため、チャッキング領域まで画像が印刷される可能性が高い名刺型の光記録媒体がチャッキング部に貼り付くことを確実に防止できる。
【００１６】
また、他の発明は、上述の発明に加えて、印刷方法変更手段は、画像がチャッキング領域の少なくとも一部にまで及んでいること判定手段によって判定された場合には、使用するインクの種類に応じて印刷方法を変更するようにしている。このため、インクの浸透性が低い、例えば、顔料インクの場合には、デューティーを下げることにより、光記録媒体のチャッキング部への貼り付きを防止することができる。
【００１７】
また、他の発明は、上述の発明に加えて、印刷方法変更手段は、画像がチャッキング領域の少なくとも一部にまで及んでいると判定手段によって判定された場合であって、画像の解像度が所定の解像度以上である場合には、印刷方法を変更するようにしている。このため、画像が所定の解像度以上である場合には、デューティーを下げることにより、光記録媒体のチャッキング部への貼り付きを防止することができる。
【００１８】
また、他の発明は、上述の発明に加えて、印刷装置に実際に装着された光記録媒体の印刷面を検出する検出手段をさらに有し、検出手段の検出結果に応じて画像を印刷するようにしている。このため、印刷面に応じて画像を適切に印刷することが可能になる。
【００１９】
また、他の発明は、上述の発明に加えて、印刷装置に実際に装着された光記録媒体のチャッキング領域に印刷面が形成されているか否かを検知する検出手段と、検出手段によって、チャッキング領域に印刷面が形成されていない光記録媒体が装着された場合であって、チャッキング領域にも画像の少なくとも一部が及んでいる場合には警告を通知する警告手段と、をさらに有するようにしている。このため、光記録媒体の印刷面以外の部分に画像が印刷されることを防止することが可能になる。
【００２０】
また、本発明は、印刷面を有する光記録媒体に対して画像を印刷する印刷方法において、印刷しようとする画像が、光記録媒体に情報を記録または再生する記録再生装置のチャッキング部によって挟持するためのチャッキング領域の少なくとも一部にまで及んでいるか否かを判定する判定ステップと、判定ステップによって、印刷しようとする画像が、チャッキング領域の少なくとも一部にまで及んでいると判定された場合には、光記録媒体に対する印刷方法を変更する印刷方法変更ステップと、を有するようにしている。
【００２１】
このため、このような印刷方法を用いることにより、どのような光記録媒体を使用した場合でも、記録再生装置のチャッキング部が印刷用のインクによって汚損することを防止できる。
【００２２】
また、本発明は、印刷面を有する光記録媒体に対して画像を印刷する処理をコンピュータに機能させるコンピュータ読み取り可能な印刷用プログラムにおいて、コンピュータを、印刷しようとする画像が、光記録媒体に情報を記録または再生する記録再生装置のチャッキング部によって挟持するためのチャッキング領域の少なくとも一部にまで及んでいるか否かを判定する判定手段、判定手段によって、印刷しようとする画像が、チャッキング領域の少なくとも一部にまで及んでいると判定された場合には、光記録媒体に対する印刷方法を変更する印刷方法変更手段、として機能させるようにしている。
【００２３】
このため、このような印刷用プログラムをコンピュータにインストールすることで、どのような光記録媒体を使用した場合でも、記録再生装置のチャッキング部が印刷用のインクによって汚損することを防止できる。
【発明の効果】
【００２４】
本発明によれば、どのような光記録媒体を使用した場合でも、記録再生装置のチャッキング部がインクによって汚損することを防止できる。
【発明を実施するための最良の形態】
【００２５】
以下、本発明の一実施の形態について、図面を参照して説明する。
【００２６】
まず、印刷装置の概要について、図１から図５を参照しつつ説明する。図１は、インクジェットプリンタ（以下、「プリンタ」と略記する）２２とコンピュータ９０によって構成される印刷装置の概略構成図であり、図２は、ピクチャ用のＣＤ−Ｒ１２０の詳細な構成例を示す図であり、図３は、普通のＣＤ−Ｒ１３０の詳細な構成例を示す図であり、図４は、制御回路４０を中心としたプリンタ２２の構成例を示すブロック図であり、また、図５は、コンピュータ９０の詳細な構成例を示す図である。
【００２７】
図１に示すように、プリンタ２２は、紙送りモータ２３によってＣＤ−Ｒトレイ１１０を搬送する副走査送り機構と、キャリッジモータ２４によってキャリッジ３１を紙送りローラ２６の軸方向に往復動させる主走査送り機構とを有している。ここで、副走査送り機構によるＣＤ−Ｒトレイ１１０の送り方向を副走査方向といい、主走査送り機構によるキャリッジ３１の移動方向を主走査方向という。
【００２８】
また、プリンタ２２は、キャリッジ３１に搭載され、印刷ヘッド１２を備えた印刷ヘッドユニット６０と、この印刷ヘッドユニット６０を駆動してインクの吐出およびドット形成を制御するヘッド駆動機構と、これらの紙送りモータ２３、キャリッジモータ２４、印刷ヘッドユニット６０および操作パネル３２との信号のやり取りを司る制御回路４０とを備えている。
【００２９】
制御回路４０は、コネクタ５６を介してコンピュータ９０に接続されている。コンピュータ９０は、プリンタ２２用のドライバを搭載し、入力装置であるキーボードや、マウス等の操作によるユーザの指令を受け付け、また、プリンタ２２における種々の情報を表示装置の画面表示によりに提示するユーザインターフェイスを構成している。
【００３０】
ＣＤ−Ｒトレイ１１０を搬送する副走査送り機構は、紙送りモータ２３の回転を紙送りローラ２６と用紙搬送ローラ（図示せず）とに伝達するギヤトレイン（図示せず）を備える。
【００３１】
また、キャリッジ３１を往復動させる主走査送り機構は、紙送りローラ２６の軸と並行に架設されキャリッジ３１を摺動可能に保持する摺動軸３４と、キャリッジモータ２４との間に無端の駆動ベルト３６を張設するプーリ３８と、ＣＤ−Ｒ１２０の印刷開始位置を検出するための光学センサ３９とを備えている。
【００３２】
検出手段である光学センサ３９は、印刷用紙またはＣＤ−Ｒ１２０に対して光を投射するための光源（例えば、ＬＥＤ（Light Emitting Diode））と、印刷用紙またはＣＤ−Ｒ１２０によって反射されてきた光を電気信号に変換するための検出部（例えば、フォトダイオード）によって構成されており、ＣＤ−Ｒ１２０の位置を検出することにより、所望の位置に画像を印刷する。
【００３３】
ＣＤ−Ｒトレイ１１０は、ＣＤ−Ｒ１２０を嵌入して係止するために円形の凹部が設けられており、当該凹部にＣＤ−Ｒ１２０を嵌入することにより、ＣＤ−Ｒ１２０の位置決めをするとともに、ＣＤ−Ｒ１２０が紙送りローラ２６によって搬送可能となるようにする。
【００３４】
図２は、ピクチャ用のＣＤ−Ｒ１２０（以下、単に「ＣＤ−Ｒ１２０」と称する）の詳細な構成例を示す図である。この図に示すように、ＣＤ−Ｒ１２０は、白色等の部材が塗布された印刷面１２１、図示せぬ記録再生装置に装着された場合に、回転軸が挿入される中心孔１２２によって構成されている。なお、印刷面１２１は、インクの浸透を受容する受容層によって構成され、受容層の下には情報を光学的に記録するための記録層が形成されている。
【００３５】
図３は、通常のＣＤ−Ｒ１３０（以下、単に「ＣＤ−Ｒ１３０」と称する）の詳細な構成例を示す図である。この図に示すように、ＣＤ−Ｒ１３０は、白色等の部材が塗布された印刷面１３１、図示せぬ記録再生装置に装着された場合に、その一部にチャッキング部が圧着される透明領域１３２、および図示せぬ記録再生装置の回転軸が挿入される中心孔１３３を有している。なお、ＣＤ−Ｒ１３０もＣＤ−Ｒ１２０の場合と同様に、印刷面１３１は、インクの浸透を受容する受容層によって構成され、受容層の下には情報を光学的に記録するための記録層が形成されている。
【００３６】
図２および図３の比較から分かるように、ピクチャ用のＣＤ−Ｒ１２０は、通常のＣＤ−Ｒ１３０と比較すると、透明領域１３２が無い分だけ、印刷面１２１が通常のＣＤ−Ｒ１３０の印刷面１３１と比較して広くなっているため、より広い面積に画像を印刷することが可能となっている。
【００３７】
図４に示すように、制御回路４０は、ＣＰＵ（Central Processing Unit）４１、プログラマブルＲＯＭ（Ｐ−ＲＯＭ（Read Only Memory））４３、ＲＡＭ（Random Access Memory）４４、文字のドットマトリクスを記憶したキャラクタジェネレータ（ＣＧ（Character Generator））４５、およびＥＥＰＲＯＭ（Electronically Erasable and Programmable ROM）４６を備えた算術論理演算回路として構成されている。
【００３８】
この制御回路４０は、さらに、外部のモータ等とのインタフェース（Ｉ／Ｆ（Interface））であるＩ／Ｆ専用回路５０と、このＩ／Ｆ専用回路５０に接続され印刷ヘッドユニット６０を駆動してインクを吐出させるヘッド駆動回路５２と、紙送りモータ２３およびキャリッジモータ２４を駆動するモータ駆動回路５４とを備えている。
【００３９】
Ｉ／Ｆ専用回路５０は、パラレルインタフェース回路を内蔵しており、コネクタ５６を介してコンピュータ９０から供給される印刷信号ＰＳを受け取ることができる。
【００４０】
つぎに、コンピュータ９０の構成について、図５を参照しつつ説明する。
【００４１】
図５に示すように、コンピュータ９０は、ＣＰＵ９１、ＲＯＭ９２、ＲＡＭ９３、ＨＤＤ（Hard Disk Drive）９４、ビデオ回路９５、Ｉ／Ｆ９６、バス９７、表示装置９８、入力装置９９および外部記憶装置１００によって構成されている。
【００４２】
ここで、判定手段であり、印刷方法変更手段であり、また、警告手段であるＣＰＵ９１は、ＲＯＭ９２やＨＤＤ９４に格納されているプログラムに従って各種演算処理を実行するとともに、装置の各部を制御する制御部である。
【００４３】
ＲＯＭ９２は、ＣＰＵ９１が実行する基本的なプログラムやデータを格納しているメモリである。ＲＡＭ９３は、ＣＰＵ９１が実行途中のプログラムや、演算途中のデータ等を一時的に格納するメモリである。
【００４４】
ＨＤＤ９４は、ＣＰＵ９１からの要求に応じて、記録媒体であるハードディスクに記録されているデータやプログラムを読み出すとともに、ＣＰＵ９１の演算処理の結果として発生したデータを前述したハードディスクに記録する記録装置である。
【００４５】
ビデオ回路９５は、ＣＰＵ９１から供給された描画命令に応じて描画処理を実行し、得られた画像データを映像信号に変換して表示装置９８に出力する回路である。Ｉ／Ｆ９６は、入力装置９９および外部記憶装置１００から出力された信号の表現形式を適宜変換するとともに、プリンタ２２に対して印刷信号ＰＳを出力する回路である。
【００４６】
バス９７は、ＣＰＵ９１、ＲＯＭ９２、ＲＡＭ９３、ＨＤＤ９４、ビデオ回路９５およびＩ／Ｆ９６を相互に接続し、これらの間でデータの授受を可能とする信号線である。
【００４７】
表示装置９８は、例えば、ＬＣＤ（Liquid Crystal Display）モニタやＣＲＴ（Cathode Ray Tube）モニタによって構成され、ビデオ回路９５から出力された映像信号に応じた画像を表示する装置である。入力装置９９は、例えば、キーボードやマウスによって構成されており、ユーザの操作に応じた信号を生成して、Ｉ／Ｆ９６に供給する装置である。
【００４８】
外部記憶装置１００は、例えば、ＣＤ−ＲＯＭ（Compact Disk-ROM）ドライブユニット、ＭＯ（Magneto Optic）ドライブユニット、ＦＤＤ（Flexible Disk Drive）ユニットによって構成され、ＣＤ−ＲＯＭディスク、ＭＯディスク、ＦＤに記録されているデータやプログラムを読み出してＣＰＵ９１に供給する装置である。また、ＭＯドライブユニットおよびＦＤＤユニットの場合には、ＣＰＵ９１から供給されたデータを、ＭＯディスクまたはＦＤに記録する装置である。
【００４９】
図６は、コンピュータ９０に実装されているプログラムおよびドライバの機能について説明する図である。なお、これらの機能は、コンピュータ９０のハードウエアと、ＨＤＤ９４に記録されているソフトウエアとが協働することにより実現される。この図に示すように、コンピュータ９０には、アプリケーションプログラム１５１、ビデオドライバプログラム１５２、およびプリンタドライバプログラム１６０が実装されており、これらが所定のオペレーティングシステム（ＯＳ）の下で動作している。
【００５０】
ここで、アプリケーションプログラム１５１は、例えば、画像処理プログラムであり、ディジタルカメラ等から取り込まれた画像を加工処理したり、ユーザによって描画された画像を加工処理したりした後、プリンタドライバプログラム１６０およびビデオドライバプログラム１５２に出力する。
【００５１】
ビデオドライバプログラム１５２は、ビデオ回路９５を駆動するためのプログラムであり、例えば、アプリケーションプログラムから供給された画像データに対してガンマ処理やホワイトバランスの調整等を行った後、映像信号を生成して表示装置９８に供給して表示させる。
【００５２】
プリンタドライバプログラム１６０は、解像度変換モジュール１６１、色変換モジュール１６２、色変換テーブル１６３、ハーフトーンモジュール１６４、ＬＵＴ（Look Up Table）１６５、および印刷データ生成モジュール１６６によって構成されており、アプリケーションプログラム１５１によって生成された画像データに対して後述する種々の処理を施して印刷データを生成し、プリンタ２２に供給する。また、プリンタドライバプログラム１６０は、後述するように、画像を印刷しようとするＣＤ−Ｒの種類に応じてＬＵＴ１６５を更新する処理を実行する。
【００５３】
ここで、解像度変換モジュール１６１は、アプリケーションプログラム１５１から供給された画像データの解像度を、印刷ヘッド１２の解像度に応じて変換する処理を行う。
【００５４】
色変換モジュール１６２は、Ｒ，Ｇ，Ｂ（Red, Green, Blue）表色系によって表現されている画像データを、色変換テーブル１６３を参照して、Ｃ，Ｍ，Ｙ，Ｋ，ＬＣ，ＬＭ，ＤＹ（Cyan, Magenta, Yellow, Black, Light Cyan, Light Magenta, Dark Yellow）表色系の画像データに変換する処理を行う。
【００５５】
ハーフトーンモジュール１６４は、後述するようにディザ処理により、Ｃ，Ｍ，Ｙ，Ｋ，ＬＣ，ＬＭ，ＤＹ表色系によって表された画像データを、ＬＵＴ１６５を参照して、大、中、小の３種類のドットの組み合わせからなるビットマップデータに変換する。
【００５６】
印刷データ生成モジュール１６６は、ハーフトーンモジュール１６４から出力されたビットマップデータから、各主走査時のドットの記録状態を示すラスタデータと、副走査送り量を示すデータとを含む印刷データを生成して、プリンタ２２に供給する。
【００５７】
つぎに、以上の実施の形態の動作について、図７に示すフローチャートを参照して説明する。なお、以下では、ユーザがアプリケーションプログラム１５１を起動して画像を生成した後、プリンタ２２に供給してＣＤ−Ｒ１２０に対して印刷する場合を例に挙げて説明する。
【００５８】
ステップＳ１０：ユーザは画像を生成する処理を実行する。すなわち、ＣＤ−Ｒ１２０に画像を印刷する場合、ユーザは、コンピュータ９０の入力装置９９を操作して、アプリケーションプログラム１５１を起動させる。その結果、コンピュータ９０では、ＣＰＵ９１がＨＤＤ９４に格納されているアプリケーションプログラム１５１を起動させる。
【００５９】
図８は、アプリケーションプログラム１５１が起動された場合に、表示装置９８に表示される画面の表示例を示す図である。この図の例では、画面２００の上部には、メニュー項目としてのファイル２０１、編集２０２、表示２０３が表示されている。なお、ファイル２０１は、ファイルに関する処理を実行する場合に操作される。編集２０２は、画像等を編集する場合に操作される。表示２０３は、画像等の表示形式を変更する場合等に操作される。その下の編集領域２０４には、ＣＤ−Ｒ１２０に対応する作画領域２０５が表示され、作画領域２０５の中央部にはＣＤ−Ｒ１２０の印刷面に対応する作画可能領域２０６が表示されている。作画可能領域２０６の内部には、ユーザによって作画された画像２０７が表示されるとともに、中心部にはＣＤ−Ｒ１２０の中心孔１２２に対応する中心孔２０８が表示されている。
【００６０】
このような画面２００において、例えば、ディジタルカメラによって撮影された画像を読み込んで加工したり、ユーザが独自に描画したりすることにより、ＣＤ−Ｒ１２０に印刷する画像を作成することができる。
【００６１】
ステップＳ１１：アプリケーションプログラム１５１は、図８に示す画面２００においてファイル２０１が操作されることにより表示されるプルダウンメニュー（図示せず）において、作成された画像を印刷するためのメニュー項目が選択されたか否かを判定し、選択された場合にはステップＳ１２に進み、それ以外の場合にはステップＳ１０に戻って同様の処理を繰り返す。
【００６２】
ステップＳ１２：アプリケーションプログラム１５１は、印刷対象となるＣＤ−Ｒとしてピクチャ用のＣＤ−Ｒ１２０が選択されているか否かを判定し、ピクチャ用である場合にはステップＳ１３に進み、通常のＣＤ−Ｒ１３０が選択されている場合には、ステップＳ１６に進む。図８に示す表示例では、図２に示すピクチャ用のＣＤ−Ｒ１２０が選択されているので、ＹＥＳと判定されてステップＳ１３に進む。
【００６３】
ステップＳ１３：アプリケーションプログラム１５１は、印刷される画像がチャッキング領域（後述する）まで存在するか否かを判定し、存在する場合にはステップＳ１４に進み、それ以外の場合にはステップＳ１６に進む。すなわち、アプリケーションプログラム１５１は、記録再生装置がＣＤ−Ｒ１２０を把持するためのチャッキング部が当接される領域であるチャッキング領域（中心孔１２２の周辺部に存在するドーナッツ状の領域）にも印刷される画像が存在するか否かを判定し、存在する場合にはステップＳ１４に進み、それ以外の場合にはステップＳ１６に進む。
【００６４】
なお、チャッキング領域は、各記録再生装置によりそのサイズが異なっているので、想定される最大の領域をチャッキング領域としてもよいし、想定される平均的な領域としてもよいし、または、記録再生装置の種類を手入力またはコンピュータ９０によって自動的に特定し、その種類に応じた領域をチャッキング領域とすることができる。
【００６５】
ステップＳ１４：アプリケーションプログラム１５１は、警告処理を実行する。すなわち、ピクチャ用のＣＤ−Ｒ１２０のチャッキング領域に印刷しようとする画像が存在する場合には、印刷後に、記録再生装置にＣＤ−Ｒ１２０が装着されると、チャッキング部との当接部分の画像が汚損したり、記録再生装置のチャッキング部にインクが付着したりする場合がある。したがって、このような問題を避けるために、本実施の形態では、印刷の際に、インクのデューティー（記録率）を落として印刷するため、ステップＳ１４では、その旨をユーザに警告する処理を実行する。
【００６６】
図９は、図８に示す表示例において、警告画面が新たに表示された場合の表示例を示す図である。この例では、画面２００に重畳するように画面２３０が表示されている。画面２３０の上部には、画面のタイトル２３１として「警告！」が表示されている。その下には、メッセージ２３２として「ピクチャタイプのＣＤ−Ｒに印刷する場合、チャッキング領域のデューティーを下げる必要があるため、発色が多少落ちてしまいます。それでもよい場合にはＯＫを押してください。」が表示されている。また、その下には、印刷を継続する場合に操作されるボタン２３３と、印刷をキャンセルする場合に操作されるボタン２３４とが表示されている。このような画面２３０において、ボタン２３３が操作されると、ステップＳ１７に進み、ボタン２３４が操作された場合には処理を終了する。
【００６７】
ステップＳ１６：ステップＳ１２またはステップＳ１４において、否定的と判定された場合、プリンタドライバプログラム１６０は、ＬＵＴ１６５を変更しないで処理を継続する。すなわち、印刷対象として通常のＣＤ−Ｒ１３０が選択されているか、または、ピクチャ用のＣＤ−Ｒ１２０が選択されている場合であって、チャッキング領域に印刷しようとする画像が存在しない場合には、インクのデューティーを落とす必要がないので、通常のＬＵＴ（以下、「通常ＬＵＴ」と称する）を選択する（ＬＵＴを変更しない）。
【００６８】
ステップＳ１７：ＣＰＵ９１は、ステップＳ１４の警告処理の後、ボタン２３３が操作されるか、ボタン２３４が操作されるかを検出する（ステップＳ１５）が、このステップＳ１５で、ボタン２３３が操作されると、その操作をＣＰＵ９１が検出し、このステップＳ１７に移行してくる。ステップＳ１７では、プリンタドライバプログラム１６０は、ＬＵＴを低デューティー用のもの（以下、「低デューティーＬＵＴ」と称する）に変更する処理を実行する。すなわち、印刷対象としてピクチャ用のＣＤ−Ｒ１２０が選択されており、かつ、チャッキング領域に印刷しようとする画像が存在する場合には、ＣＤ−１２０のチャッキング部への貼り付きを防止するためにインクのデューティーを落とす必要があるので、低デューティーＬＵＴを選択する。
【００６９】
ステップＳ１８：プリンタドライバプログラム１６０は、アプリケーションプログラム１５１から供給された画像データ（Ｒ，Ｇ，Ｂ表色系によって表現されたデータ）を受け取り、印刷データに変換する処理を実行する。なお、この処理の詳細については、図１０〜１４を参照して後述する。
【００７０】
ステップＳ１９：プリンタドライバプログラム１６０は、変換処理によって得られた印刷データを、プリンタ２２に供給し、印刷させる処理を実行する。その結果、プリンタ２２のＣＰＵ４１は、キャリッジモータ２４を駆動して、印刷ヘッド１２をＣＤ−Ｒ１２０の印刷面１２１の上端部の右端まで移動させる。そして、ヘッド駆動回路５２によって印刷しようとするデータを印刷ヘッド１２に供給し、所定の色のインクを吐出させるとともに、主走査方向にキャリッジ３１を移動させつつ紙送りモータ２３によりＣＤ−Ｒトレイ１１０を副走査方向に順次移動させる。このような動作を繰り返すことにより、コンピュータ９０から供給された情報となる画像をＣＤ−Ｒ１２０印刷面１２１に印刷することができる。
【００７１】
つぎに、図１０〜１４を参照して、図７に示す画像変換処理について説明する。
【００７２】
まず、図１０に示すフローチャートを参照して、ドットを形成する際の処理の流れについて説明する。このフローチャートが開始されると、以下のステップが実行される。
【００７３】
ステップＳ３０：プリンタドライバプログラム１３０はＲ，Ｇ，Ｂ表色系によって表されている画像データをアプリケーションプログラム１５１から受け取る。なお、この画像データは、各画素ごとにＲ，Ｇ，Ｂそれぞれの色について、値０〜２５５の２５６段階の階調値を有するデータである。この画像データとしては、６４段階（０〜６３）の階調値や３２段階（０〜３１）の階調値を有するデータ等の場合もあるが、説明例として上述のように２５６段階の階調値のものを示して説明することとする。
【００７４】
ステップＳ３１：解像度変換モジュール１６１は、入力された画像データの解像度をプリンタ２２の解像度（以下、「印刷解像度」と称する）に変換する。画像データの解像度が印刷解像度よりも低い場合には、線形補間等により隣接する原画像データの間に新たなデータを生成することで解像度変換を行う。逆に画像データの解像度が印刷解像度よりも高い場合には、一定の割合で画像データを間引く等の処理を行うことにより解像度変換を行う。
【００７５】
ステップＳ３２：色変換モジュール１６２は、色変換処理を行う。色変換処理とはＲ，Ｇ，Ｂの階調値からなる画像データをプリンタ２２で使用するＣ，Ｍ，Ｙ，Ｋ，ＬＣ，ＬＭ，ＤＹの各色の階調値を表す多階調データに変換する処理である。この処理は、Ｒ，Ｇ，Ｂのそれぞれの組み合わせからなる色をプリンタ２２で表現するためのＣ，Ｍ，Ｙ，Ｋ，ＬＣ，ＬＭ，ＤＹの組み合わせを記憶した色変換テーブル１６３を用いて行われる。
【００７６】
ステップＳ３３：ハーフトーンモジュール１６４は、ステップＳ３２において色変換された画像データに対してハーフトーン処理を行う。ハーフトーン処理とは、原画像データの階調値（本実施の形態では２５６階調）をプリンタ２２が画素毎に表現可能な階調値に減色する処理をいう。ここで「減色」とは、色を表現する階調の数を減らすことをいう。なお、本実施例では、「ドットの形成なし」、「小ドットの形成」、「中ドットの形成」、「大ドットの形成」の４階調への減色を行っている。ハーフトーン処理の詳細については図１１を参照して後述する。
【００７７】
ステップＳ３４：印刷データ生成モジュール１６６は、ハーフトーン処理によって生成されたビットマップデータから印刷データを生成する処理を実行する。ここで、印刷データとは、各主走査時のドットの記録状態を示すラスタデータと、副走査送り量を示すデータとを含むデータである。
【００７８】
ステップＳ３５：印刷データ生成モジュール１６６は、印刷データ生成処理により生成された印刷データを、プリンタ２２に対して出力する。そして、処理を終了する。
【００７９】
つぎに、図１０に示すフローチャート中のステップＳ３３であるハーフトーン処理の詳細について図１１を参照して説明する。図１１は、ハーフトーン処理の詳細を説明するためのフローチャートである。このフローチャートが開始されると、以下のステップが実行される。
【００８０】
ステップＳ５０：ハーフトーンモジュール１６４は、色変換モジュール１６２から多階調データを受け取る。ここで入力される多階調データは、色変換処理（図５のステップＳ３２）を施され、Ｃ，Ｍ，Ｙ，Ｋ，ＬＣ，ＬＭ，ＤＹの各色につき２５６階調で表現されたデータである。
【００８１】
ステップＳ５１：ハーフトーンモジュール１６４は、画像データの階調に応じて、つぎのようにして大ドットのレベルデータＬＶＬを設定する。図１２は、大、中、小の各ドットのレベルデータの決定に利用される複数のＬＵＴを示す図である。図１２の横軸は階調値（０〜２５５）、左側の縦軸はデューティー（％）、右側の縦軸はレベルデータ（０〜２５５）である。ここで、「デューティー」とは、一定の階調値に応じて一様な領域が再現されるときに、その領域内の画素のうちでドットが形成される画素の割合を意味する。図１２中の実線細線で示されるプロファイルＳＤが小ドットの記録率を示しており、また、実線太線で示されるプロファイルＭＤが中ドットの記録率を、点線で示されるプロファイルＬＤが大ドットの記録率をそれぞれ示している。また、レベルデータとは、ドットの記録率を値０〜２５５の２５６段階に変換したデータをいう。なお、ＬＵＴの設定方法については後述する。
【００８２】
ステップＳ５１では、大ドット用のプロファイルＬＤから階調値に応じたレベルデータＬＶＬを読み取る。例えば、図１２に示した通り、多階調データの階調値がｇｒであれば、レベルデータＬＶＬはプロファイルＬＤを用いて１ｄと求められる。実際には、プロファイルＬＤを１次元のテーブルとしてＲＡＭ９３に記憶しておき、このテーブルを参照してレベルデータを求めている。このテーブルがＬＵＴ１６５（図６参照）である。
【００８３】
ステップＳ５２：ハーフトーンモジュール１６４は、以上のようにして設定されたレベルデータＬＶＬが閾値ＴＨＬより大きいか否かを判定する。ここでは、例えば、ディザ法によるドットのオン・オフ判定を行う。閾値ＴＨＬはいわゆるデイザマトリックスにより各画素毎に異なる値が設定される。本実施の形態では１６×１６の正方形の画素ブロックに値０〜２５４までが現れるマトリックスを用いている。
【００８４】
図１３は、ディザ法によるドットのオン・オフ判定の様子を示す図である。図示の都合上、一部の画素についてのみ示す。図１３に示す通り、レベルデータＬＶＬの各画素とディザテーブルの対応箇所の大小を比較する。レベルデータＬＶＬの方がディザテーブルに示された閾値ＴＨＬよりも大きい場合にはドットをオンにし、レベルデータＬＶＬの方が小さい場合にはドットをオフとする。図１３中でハッチングを施した画素がドットをオンにする画素を示している。ハーフトーンモジュール１６４は、レベルデータＬＶＬが閾値ＴＨＬよりも大きい場合には、ステップＳ６０に進み、それ以外の場合にはステップＳ５３に進む。
【００８５】
ステップＳ５３：ハーフトーンモジュール１６４は、中ドットのレベルデータＬＶＭを設定する。中ドットのレベルデータＬＶＭは、階調値に基づいて、前述のＬＵＴ１６５により設定される。設定方法は、大ドットのレベルデータＬＶＬの設定と同じである。すなわち、各階調データの階調値がｇｒであれば、レベルデータＬＶＭは、プロファイルＭＤを用いてｍｄと求められる。
【００８６】
ステップＳ５４：中ドットのレベルデータＬＶＭと閾値ＴＨＭの大小関係が比較されて、中ドットのオン・オフの判定が行われる。オン・オフの判定方法は、大ドットの場合と同じであるが、判定に用いる閾値ＴＨＭをつぎに示す通り大ドットの場合の閾値ＴＨＬとは異なる値としている。すなわち、大ドットと中ドットで同じディザマトリクスを用いてオン・オフの判定を行った場合、ドットがオンになりやすい画素が両者で一致する。つまり、大ドットがオフとなるときには中ドットもオフになる可能性が高い。この結果、中ドットの記録率は所望の記録率よりも低くなる可能性が生じる。本実施の形態ではこのような現象を回避するため、両者でディザマトリクスを変えている。つまり、オンになりやすくなる画素の位置を、大ドットと中ドットとで変えることで、それぞれが適切に形成されることを確保している。
【００８７】
図１４は、大ドットの判定に用いられるディザマトリクスと、中ドットの判定に用いられるディザマトリクスの関係について示す図である。この実施の形態では、図１４に示すように、大ドットについては第１のディザマトリクスＴＭを用い、中ドットについてはこの各閾値を副走査方向の中央を中心として対称に移動した第２のディザマトリクスＵＭを用いている。本実施の形態では先に述べたように１６×１６のマトリクスを用いているが、図１４には図示の都合上４×４のマトリクスで示している。なお、大ドットと中ドットで全く異なるディザマトリクスを用いるようにしても良い。
【００８８】
そして、中ドットのレベルデータＬＶＭが閾値ＴＨＭよりも大きい場合には、中ドットをオンにすべき、と判定して、ステップＳ５９に進み、それ以外の場合にはステップＳ５５に進む。
【００８９】
ステップＳ５５：大ドットや中ドットのレベルデータの設定と同様にして、小ドットのレベルデータＬＶＳを設定する。図１２の例では、レベルデータＬＶＳはプロファイルＳＤを用いてｓｄと求められる。なお、小ドット用のディザマトリクスは、前述のように小ドットの記録率の低下を抑制するために中ドットや大ドット用のものと異なるものとするのが好ましい。
【００９０】
ステップＳ５６：ハーフトーンモジュール１６４は、レベルデータＬＶＳが小ドットの場合の閾値ＴＨＳよりも大きい場合には、ステップＳ５８に進み、それ以外の場合にはステップＳ５７に進む。
【００９１】
ステップＳ５７：ハーフトーンモジュール１６４は、ドットを形成しないと判断して、結果値を格納する変数ＲＥに２進数の値"００"を格納する。
【００９２】
ステップＳ５８：ハーフトーンモジュール１６４は、小ドットをオンにすると判断して、結果値を格納する変数ＲＥに２進数の値"０１"を格納する。
【００９３】
ステップＳ５９：ハーフトーンモジュール１６４は、中ドットをオンにすると判断して、結果値を格納する変数ＲＥに２進数の値"１０"を格納する。
【００９４】
ステップＳ６０：ハーフトーンモジュール１６４は、大ドットをオンにすると判断して、結果値を格納する変数ＲＥに２進数の値"１１"を格納する。
【００９５】
ステップＳ６１：以上の処理により、１つの画素について、いずれのドットを形成すべきかの判定がなされるので、ハーフトーンモジュール１６４は、全画素について処理が終了するまで、ステップＳ５１〜Ｓ６０の処理を繰り返す。そして、全画素に対する処理が終了すると、ハーフトーン処理（ステップＳ３３）を終了して、印刷データ生成処理（ステップＳ３４）に戻る。
【００９６】
以上は、図７に示すステップＳ１６において、ＬＵＴを変更しない場合、すなわち、通常ＬＵＴを使用した場合における印刷データを生成する処理に関する説明である。一方、ステップＳ１７においてＬＵＴを変更する処理が実行された場合（低デューティーＬＵＴが選択された場合）には、図１２に示すＬＵＴではなく、図１５に示すＬＵＴが選択され、前述の場合と同様の処理が実行され、印刷データが生成される。
【００９７】
図１５に示す低デューティーＬＵＴの場合では、図１２に示す通常ＬＵＴと比較すると、大ドット、中ドット、小ドットのそれぞれのプロファイルＬＤ，ＭＤ，ＳＤのピーク値が小さくなっている。したがって、この低デューティーＬＵＴを使用して生成されたレベルデータは、図１２の場合に比較すると、その値が小さくなるため、インクのデューティーは図１２の通常ＬＵＴを使用した場合に比較して小さくなる。その結果、図１５に示す低デューティーＬＵＴを使用して作成された画像データを用いて印刷した場合には、インクのデューティーが低いので、印刷面１２１にインクが完全に吸収されるため、チャッキング部にも画像が印刷されたＣＤ−Ｒ１２０が図示せぬ記録再生装置に装着された場合であっても、チャッキング部にＣＤ−Ｒ１２０が吸着して印刷面１２１が汚損したり、チャッキング部にインクが付着したりすることを防止できる。
【００９８】
以上に説明したように、本発明の実施の形態によれば、ピクチャ用のＣＤ−Ｒ１２０が印刷対象として選択された場合であって、チャッキング領域に印刷しようとする画像が存在する場合には、図１５に示す低デューティーＬＵＴを使用して印刷データを生成するようにしているので、記録再生装置のチャッキング部によって画像が汚損したり、チャッキング部がインクによって汚れたりすることを防止できる。
【００９９】
つぎに、インクの種類および解像度を考慮した場合の処理について説明する。図１６は、インクの種類と、画像の解像度も考慮して、ＬＵＴを選択し、画像を印刷する処理の一例である。なお、この図において、図７と対応する部分には同一の符号を付してその説明を省略する。
【０１００】
図１６に示すフローチャートでは、ステップＳ８０およびステップＳ８１の処理が追加されている。それ以外の処理は、図７の場合と同様である。したがって、以下では、ステップＳ８０およびステップＳ８１の処理についてのみ説明する。
【０１０１】
ステップＳ８０では、アプリケーションプログラム１５１は、プリンタ２２のカートリッジ７１〜７７に充填されているインクとして、浸透性が低い顔料インクが使用されているか否かを判定する。その結果、顔料インクが使用されていない場合には、ステップＳ１６に進んで、通常ＬＵＴ（図１２に示すＬＵＴ）が選択される。すなわち、浸透性が高い染料インクが使用されている場合にはステップＳ１６に進み、顔料インクが使用されている場合にはステップＳ８１に進む。
【０１０２】
ステップＳ８１では、アプリケーションプログラム１５１は、印刷しようとする画像の解像度が高解像度であるか否かを判定し、高解像度であると判定した場合にはステップＳ１４に進み、それ以外の場合にはステップＳ１６に進んで、通常ＬＵＴ（図１２に示すＬＵＴ）が選択される。なお、高解像度であるか否かの判断としては、例えば、フォト（写真）モードが選択されている場合には、高解像度であると判断したり、２４ビットカラーモードが選択されている場合には、高解像度であると判断することができる。
【０１０３】
このように、浸透性が低い顔料インクが使用されている場合には、低デューティーＬＵＴを選択し、浸透性が高い染料インクが使用されている場合には通常ＬＵＴを選択するようにしたので、インクの種類に応じた最適なＬＵＴを選択することが可能になる。
【０１０４】
また、解像度に応じてＬＵＴが変更されるようにしたので、解像度に応じて最適なＬＵＴを選択することが可能になる。なお、ステップＳ８１を無くし、ステップＳ８０の顔料インクの使用有無のみを追加したり、逆に、ステップＳ８０を無くし、ステップＳ８１の解像度の判断のみを追加したりするようにしてもよい。また、ステップＳ８０とステップＳ８１をＡＮＤ条件とせず、染料インクが使用されていても解像度が高いと、ＬＵＴを変更するようにしてもよい。
【０１０５】
以上、本発明の一実施の形態について説明したが、本発明はこれ以外にも種々変形可能である。例えば、以上の各実施の形態では、ＣＤ−Ｒ１２０を例に挙げて説明したが、これ以外の光記録媒体、例えば、ＤＶＤ（Digital Versatile Disk）やＭＯ等についても本発明を適用可能であることはいうまでもない。また、光記録媒体以外のディスク状の記録媒体に本発明を適用することができる。
【０１０６】
また、以上の実施の形態では、円形形状を有するＣＤ−Ｒ１２０を例に挙げて説明したが、これ以外の形状を有する光記録媒体についても本発明を適用することが可能である。例えば、名刺サイズの略四角形状を有する光記録媒体（例えば、ＣＤ−Ｒ）に対しても本発明を適用することができる。このような名刺サイズの光記録媒体の場合、印刷面のサイズが通常の光記録媒体と比較して小さいことから、中心孔付近まで隙間無く印刷することが望ましいため、本発明を使用すれば、記録再生装置のチャッキング部を汚すことなく、大きな画像を印刷することが可能になる。
【０１０７】
また、以上の実施の形態では、ＣＤ−Ｒ１２０の印刷面１２１全体のデューティーを低くするようにしたが、例えば、図１７に示すように、チャッキング領域１２１ｂのデューティーのみを低く設定することも可能である。この図の例では、印刷面１２１ａは通常のデューティーで印刷され、チャッキング領域１２１ｂは低いデューティーで印刷される。その結果、チャッキング領域１２１ｂが記録再生装置のチャッキング部に貼り付くことを防止できる。なお、このように領域毎にデューティーを変更する方法としては、前述の場合と同様に、ＬＵＴを複数準備しておき、領域毎に使用するＬＵＴを変更するようにすればよい。
【０１０８】
また、チャッキング領域１２１ｂ全体のデューティーを下げるだけでなく、例えば、少なくともチャッキング領域１２１ｂのデューティーは所定の値以下になるようにするとともに、印刷面１２１ａからチャッキング領域１２１ｂに向かってデューティーが徐々にまたは段階的に低くなるようにしてもよい。このような方法によれば、インクのデューティーが、ある境界を境にして急激に変化して画質が低下することを防止できる。
【０１０９】
また、以上の実施の形態では、アプリケーションプログラム１５１によって作成された画像データを、そのままプリンタドライバプログラム１６０に転送するようにした。しかし、プリンタ２２において光学センサ３９によって印刷面の半径等を検出することにより、トレイ１１０に装着されているＣＤ−Ｒの種類を検出し、検出結果に応じた処理を実行することも可能である。例えば、アプリケーションプログラム１５１によって作成された画像データがピクチャ用のＣＤ−Ｒ１２０である場合に、プリンタ２２に装着されているのが通常のＣＤ−Ｒ１３０である場合には、透明領域１３２に印刷がなされてしまうので、その場合には警告処理を行うようにしてもよい。なお、光学センサ３９を用いるのではなく、ユーザがＣＤ−Ｒの種類を、入力装置９９を操作して直接入力するようにしてもよい。
【０１１０】
また、以上の実施の形態では、デューティーを変更する方法として、図１２および図１５に示すプロファイルを変更するようにしたが、例えば、図１４に示すディザマトリクスの閾値を大きくすることによっても同等の効果を得ることができる。
【０１１１】
また、以上の実施の形態では、通常ＬＵＴと低デューティーＬＵＴの２種類を準備するようにしたが、３種類以上のＬＵＴを準備し、これらを適宜選択して用いることも可能である。
【０１１２】
また、ＣＤ−Ｒ１２０の種類に応じて、チャッキング領域のデューティーを変更するようにしてもよい。具体的には、ＣＤ−Ｒ１２０の種類（メーカー名、製品名）を特定するための情報をコンピュータ９０に入力し、その情報に応じて定まる最適なデューティーを、例えば、テーブル等を用いて特定し、特定されたデューティーになるようにチャッキング領域に印刷するようにしてもよい。
【０１１３】
また、以上の実施の形態では、Ｃ，Ｍ，Ｙ，Ｋ，ＬＣ，ＬＭ，ＤＹのインクを用いる場合を例に挙げて説明したが、これ以外のインクの組み合わせであっても本発明を適用可能であることはいうまでもない。
【０１１４】
また、以上の各実施の形態は、ピエゾ素子を用いてインクを吐出するヘッドを備えたプリンタのみならず、インク通路に配置したヒータに通電し、インク通路内に発生する気泡（バブル）によりインクを吐出するタイプの吐出駆動素子を備えたプリンタに適用することも可能である。
【０１１５】
さらに、以上の実施の形態では、ＨＤＤ９４（または、外部記憶装置１００）に図６に示す機能を実現するプログラムを格納しておき、このプログラムからの指令に応じてプリンタ２２が図７，１０，１１，１６に示す処理を実行するようにしたが、プリンタ２２のＰ−ＲＯＭ４３に同等の機能を有するプログラムを格納しておき、操作パネル３２が所定の手順で操作された場合に、このアプリケーションを起動し、図６に示す機能を実行することも可能である。要は、コンピュータ９０またはプリンタ２２のいずれかにアプリケーションプログラムを格納しておき、ＣＤ−Ｒ１２０に印刷する際には、これらのアプリケーションプログラムをコンピュータ９０またはプリンタ２２のいずれかで起動して実行すればよい。
【０１１６】
なお、以上の印刷処理機能は、コンピュータのみによっても実現することができる。その場合、印刷装置が有すべき機能の処理内容を記述したプログラムがコンピュータに提供される。そのプログラムをコンピュータで実行することにより、上記印刷処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Random Access Memory）、ＣＤ−ＲＯＭ、ＣＤ−Ｒ（Recordable）／ＲＷ（ReWritable）などがある。光磁気記録媒体には、ＭＯなどがある。
【０１１７】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【図面の簡単な説明】
【０１１９】
【図１】本実施の形態のプリンタおよび印刷装置の概略構成を示す図である。
【図２】図１に示すプリンタの印刷の対象となるピクチャ用のＣＤ−Ｒの詳細な構成例を示す図である。
【図３】図１に示すプリンタの印刷の対象となる通常のＣＤ−Ｒの詳細な構成例を示す図である。
【図４】図１に示す印刷装置の制御回路を中心としたプリンタの構成を示すブロック図である。
【図５】図１に示す印刷装置のコンピュータの詳細な構成を示すブロック図である。
【図６】図５に示すコンピュータにおいてハードウエアとソフトウエアとが協働することにより実現される処理機能の一例を示す図である。
【図７】図１に示すコンピュータにおいてＣＤ−Ｒに画像を印刷する際に実行される処理の一例を説明するフローチャートである。
【図８】図７に示すフローチャートが実行された場合に、コンピュータの表示装置に表示される画面の一例を示す図でである。
【図９】図７のステップＳ１４に示す警告処理が実行された場合に、コンピュータの表示装置に表示される画面の一例を示す図でである。
【図１０】図７のステップＳ１８に示す画像変換処理の詳細を説明するためのフローチャートである。
【図１１】図１０のステップＳ３３に示すハーフトーン処理の詳細を説明するためのフローチャートである。
【図１２】図６に示すＬＵＴの詳細を説明するための図であって、通常のＬＵＴの一例を説明するための図である。
【図１３】図６に示すハーフトーンモジュールにおいて実行されるディザ法によるドットのオン・オフ判定の様子を示す図である。
【図１４】図６に示すハーフトーンモジュールにおいて実行されるディザ処理に用いるディザマトリクスであって、大ドットの判定に用いられるディザマトリクスと、中ドットの判定に用いられるディザマトリクスの関係について示す図である。
【図１５】図６に示すＬＵＴの詳細を説明するための図であって、低デューティー用のＬＵＴの一例を説明するための図である。
【図１６】図１に示すコンピュータにおいてＣＤ−Ｒに画像を印刷する際に実行される処理であって、インクの種類および解像度も考慮してＬＵＴを選択する処理の一例を説明するフローチャートである。
【図１７】ピクチャ用のＣＤ−Ｒへの印刷形態の他の一例を説明するための図である。
【符号の説明】
【０１２０】
２２  プリンタ（印刷装置）
３９  光学センサ（検出手段）
９０  コンピュータ（印刷装置）
９１  ＣＰＵ（判定手段、印刷方法変更手段、警告手段）
１２０  ＣＤ−Ｒ（光記録媒体）
【図１】
2005059312.tif 000003
【図２】
2005059312.tif 000004
【図３】
2005059312.tif 000005
【図４】
2005059312.tif 000006
【図５】
2005059312.tif 000007
【図６】
2005059312.tif 000008
【図７】
2005059312.tif 000009
【図８】
2005059312.tif 000010
【図９】
2005059312.tif 000011
【図１０】
2005059312.tif 000012
【図１１】
2005059312.tif 000013
【図１２】
2005059312.tif 000014
【図１３】
2005059312.tif 000015
【図１４】
2005059312.tif 000016
【図１５】
2005059312.tif 000017
【図１６】
2005059312.tif 000018
【図１７】
2005059312.tif 000019